(57)【要約】【課題】電子部品が搭載された配線基板を固体撮像素子に対して正確な位置関係にしっかりと固定することができて、リードの変形や破損が発生しない電子内視鏡の撮像素子に対する基板固定構造を提供すること。【解決手段】平板状部分１６ａの両端からその平板状部分１６ａに対して各々略直角に一対の足部１６ｂが突出形成された断面形状が「コ」の字状の電気絶縁材からなる基板固定用台座１６を設けて、固体撮像素子１０の背面に基板固定用台座１６の平板状部分１６ａの表面を貼り付けると共に、一対の足部１６ｂの足裏端面部分に配線基板１３を貼り付けた。【選択図】      図１
2005253808.tif 000002
【特許請求の範囲】
【請求項１】
電子内視鏡の挿入部先端内に配置される固体撮像素子の後側に、一つ又は複数の電子部品を搭載した配線基板が取り付けられた電子内視鏡の撮像素子に対する基板固定構造において、
平板状部分の両端から上記平板状部分に対して各々略直角に一対の足部が突出形成された断面形状が「コ」の字状の電気絶縁材からなる基板固定用台座を設けて、上記固体撮像素子の背面に上記基板固定用台座の平板状部分の表面を貼り付けると共に、上記一対の足部の足裏端面部分に上記配線基板を貼り付けたことを特徴とする電子内視鏡の撮像素子に対する基板固定構造。
【請求項２】
上記基板固定用台座の一対の足部が同じ長さに形成されていて、上記配線基板が上記固体撮像素子に対して平行に固定される請求項１記載の電子内視鏡の撮像素子に対する基板固定構造。
【請求項３】
上記配線基板に搭載された電子部品の少なくとも一部が、上記基板固定用台座の一対の足部と平板状部分と上記配線基板とによって囲まれた空間部分に配置されている請求項１又は２記載の電子内視鏡の撮像素子に対する基板固定構造。
【請求項４】
上記固体撮像素子から延出するリードが、上記一対の足部の外壁面に沿って配置されて後端において上記配線基板に接続されている請求項１、２又は３記載の電子内視鏡の撮像素子に対する基板固定構造。
【発明の詳細な説明】
【技術分野】
【０００１】
この発明は電子内視鏡の撮像素子に対する基板固定構造に関する。
【背景技術】
【０００２】
挿入部先端内に固体撮像素子を内蔵する電子内視鏡においては一般に、固体撮像素子の後側に取り付けられた配線基板に、ＩＣチップやコンデンサ等の電子部品が搭載されている（例えば、特許文献１）。
【特許文献１】特開平１０−１９２２３５
【発明の開示】
【発明が解決しようとする課題】
【０００３】
図４は、従来の電子内視鏡の撮像素子に対する基板固定構造を示しており、１１は固体撮像素子１０の受光面であり、固体撮像素子１０の側面に沿って後方に延出するリード１２の突端部分に配線基板１３が取り付けられている。
【０００４】
ただし、それだけでは配線基板１３の機械的固定状態が非常に不安定なので、固体撮像素子１０の背面に貼り付けた電気絶縁ブロック１４を、配線基板１３に搭載されている電子部品１５の中の最も背の高い電子部品１５Ａの端面に貼り合わせることにより、配線基板１３を固体撮像素子１０に対して固定している。
【０００５】
しかし、電気絶縁ブロック１４と貼り合わされている電子部品１５Ａの配線基板１３からの高さや端面の傾き等は相当にばらつくことが避けられないので、配線基板１３が固体撮像素子１０に対して傾いた状態に固定されてしまい、そのためにリード１２が変形したり破損してしまう場合がある。
【０００６】
そこで本発明は、電子部品が搭載された配線基板を固体撮像素子に対して正確な位置関係にしっかりと固定することができて、リードの変形や破損が発生しない電子内視鏡の撮像素子に対する基板固定構造を提供することを目的とする。
【課題を解決するための手段】
【０００７】
上記の目的を達成するため、本発明の電子内視鏡の撮像素子に対する基板固定構造は、電子内視鏡の挿入部先端内に配置される固体撮像素子の後側に、一つ又は複数の電子部品を搭載した配線基板が取り付けられた電子内視鏡の撮像素子に対する基板固定構造において、平板状部分の両端からその平板状部分に対して各々略直角に一対の足部が突出形成された断面形状が「コ」の字状の電気絶縁材からなる基板固定用台座を設けて、固体撮像素子の背面に基板固定用台座の平板状部分の表面を貼り付けると共に、一対の足部の足裏端面部分に配線基板を貼り付けたものである。
【０００８】
なお、基板固定用台座の一対の足部が同じ長さに形成されていて、配線基板が固体撮像素子に対して平行に固定されていてもよく、配線基板に搭載された電子部品の少なくとも一部が、基板固定用台座の一対の足部と平板状部分と配線基板とによって囲まれた空間部分に配置されていてもよい。
【０００９】
また、固体撮像素子から延出するリードが、一対の足部の外壁面に沿って配置されて後端において配線基板に接続されていてもよい。
【発明の効果】
【００１０】
本発明によれば、固体撮像素子の背面に断面形状が「コ」の字状の基板固定用台座の平板状部分の表面を貼り付けると共に、電子部品が搭載された配線基板をその一対の足部の足裏端面部分に貼り付けたことにより、配線基板を固体撮像素子に対して正確な位置関係にしっかりと固定することができて、リードの変形や破損が発生しない。
【発明を実施するための最良の形態】
【００１１】
電子内視鏡の挿入部先端内に配置される固体撮像素子の後側に、一つ又は複数の電子部品を搭載した配線基板が取り付けられた電子内視鏡の撮像素子に対する基板固定構造において、平板状部分の両端からその平板状部分に対して各々略直角に一対の足部が突出形成された断面形状が「コ」の字状の電気絶縁材からなる基板固定用台座を設けて、固体撮像素子の背面に基板固定用台座の平板状部分の表面を貼り付けると共に、一対の足部の足裏端面部分に配線基板を貼り付ける。
【実施例】
【００１２】
図面を参照して本発明の実施例を説明する。
図３は、固体撮像素子１０を内蔵した電子内視鏡の挿入部１の先端部分を略示しており、観察窓２の奥に配置された対物光学系３による被写体の投影位置に、固体撮像素子１０の受光面１１が配置されている。
【００１３】
図１と図２は、固体撮像素子１０部分の側面断面図と斜視図であり、例えばＣＣＤ（電化結合素子）からなる固体撮像素子１０の前面側に形成された受光面１１に、対物光学系３によって被写体像が投影される。
【００１４】
固体撮像素子１０の後方には、ＩＣチップやコンデンサ等のような電子部品１５が搭載された配線基板１３が配置されていて、固体撮像素子１０の側面部分から後方に延出する複数のリード１２が配線基板１３に接続されている。
【００１５】
固体撮像素子１０の背面（即ち、受光面１１の裏側面）は受光面１１と平行な平面に形成されており、そこに隣接して、平板状部分１６ａの両端からその平板状部分１６ａに対して各々略直角に一対の足部１６ｂが平行方向に突出形成された断面形状が「コ」の字状の電気絶縁材からなる基板固定用台座１６が配置されている。
【００１６】
基板固定用台座１６の平板状部分１６ａは固体撮像素子１０の背面とほぼ同じかそれよりやや小さな大きさに形成されていて、固体撮像素子１０の背面に基板固定用台座１６の平板状部分１６ａの表面が接着剤により貼り付けられている。したがって、固体撮像素子１０と基板固定用台座１６とは強固に固着することができる。
【００１７】
基板固定用台座１６の一対の足部１６ｂは均一の長さに揃えられている。そして、各足部１６ｂの足裏端面は平板状部分１６ａと平行な平面に形成されていて、そこに配線基板１３が接着剤により固定的に貼り付けられている。
【００１８】
したがって、基板固定用台座１６と配線基板１３とを強固に固着することができると同時に、配線基板１３が、固体撮像素子１０に対してバラツキのない高精度な位置関係に固定され、ここでは、配線基板１３が固体撮像素子１０に対して常に平行の向きに固定される。
【００１９】
固体撮像素子１０の側面から延出する複数のリード１２は基板固定用台座１６の各足部１６ｂの外壁面に沿って配置されて、各リード１２の突端である後端部分が各々内側に折り曲げられて配線基板１３に接続、固着されている。
【００２０】
そのようなリード１２には、配線基板１３が固体撮像素子１０に対して正確な位置関係にあることにより、配線基板１３との接続、固着によって無理な力が作用せず、リード１２の変形や破損が発生しない。１７は、リード１２の外面部分に取り付けられている電気絶縁板である。
【００２１】
また、配線基板１３の前側面（固体撮像素子１０の方に面している面）に搭載されている電子部品１５は、基板固定用台座１６の一対の足部１６ｂと平板状部分１６ａと配線基板１３とによって囲まれた空間部分に基板固定用台座１６と触れることなく配置されており、空間を無駄なく有効に利用することができる。
【図面の簡単な説明】
【００２２】
【図１】本発明の実施例の電子内視鏡の撮像素子に対する基板固定構造の側面断面図である。
【図２】本発明の実施例の電子内視鏡の撮像素子に対する基板固定構造の斜視図である。
【図３】本発明の実施例の電子内視鏡の挿入部先端の略示図である。
【図４】従来の電子内視鏡の撮像素子に対する基板固定構造の側面断面図である。
【符号の説明】
【００２３】
１０  固体撮像素子
１１  受光面
１２  リード
１３  配線基板
１５  電子部品
１６  基板固定用台座
１６ａ  平板状部分
１６ｂ  足部
【図１】
2005253808.tif 000003
【図２】
2005253808.tif 000004
【図３】
2005253808.tif 000005
【図４】
2005253808.tif 000006